(57)【要約】【課題】ラックに対して内視鏡プロセッサを容易に着脱可能な内視鏡プロセッサ固定装置を得る。【解決手段】第１の固定装置１００は、棚板２１０に向けて突出可能である第１の柱状部材１１０と、第１の柱状部材１１０の一端から伸びる第１の操作部材１２０とを有する。第１の柱状部材１１０は円柱形状を有し、その径は第１の収容部２４１の径よりも小さく、軸方向長さは脚２４０の長さよりも長い。第１の操作部材１２０は円柱形状であって、第１の柱状部材１１０の軸に対し垂直方向に向けて第１の柱状部材１１０の一端に取り付けられる。第１の柱状部材１１０が第１の収容部２４１に嵌挿されるとともに、第１の操作部材１２０が第１の操作穴２３６に嵌挿されて、第１の固定装置１００が内視鏡プロセッサ２３０に取り付けられる。【選択図】図５
2010094281.tif 000002
【特許請求の範囲】
【請求項１】
嵌合穴を有する板状部材に内視鏡プロセッサを固定するため内視鏡プロセッサに設けられる内視鏡プロセッサ固定装置であって、
前記内視鏡プロセッサの底面から前記嵌合穴の深さ方向に向けて進退自在に突出し、前記嵌合穴と遊嵌可能である遊嵌端を有する柱状部材と、
前記遊嵌端の他方の端部である接続端から伸びて、前記内視鏡プロセッサの外面から外部に突出する操作部材とを備える内視鏡プロセッサ固定装置。
【請求項２】
前記柱状部材は円柱体であり、
前記嵌合穴は円筒形状であって、
前記嵌合穴の径は、前記柱状部材の径よりも大きい請求項１に記載の内視鏡プロセッサ固定装置。
【請求項３】
前記接続端に接続される係合片をさらに備え、
前記係合片は、直方体であって、前記柱状部材の突出方向に対し平行な方向に向けた厚さと、前記柱状部材の直径よりも長い長手方向長さと、前記柱状部材の直径と略同じ幅とを有し、
前記嵌合穴は、角筒型であって、前記柱状部材の突出方向に垂直な断面における長手方向長さが前記係合片の長手方向長さよりも大きく、前記柱状部材の突出方向に垂直な断面における幅が前記係合片の幅よりも大きく、かつ前記係合片の長手方向長さよりも短い
請求項１に記載の内視鏡プロセッサ固定装置。
【請求項４】
前記内視鏡プロセッサの筐体には操作穴が設けられ、
前記柱状部材の進退方向における前記操作穴の長さは前記柱状部材の進退長さ以上であり、前記操作部材が前記操作穴から突出する請求項１又は３に記載のプロセッサ固定装置。
【請求項５】
前記操作部材は、前記柱状部材の軸に対して直角方向に前記柱状部材から伸びる請求項４に記載のプロセッサ固定装置。
【請求項６】
前記内視鏡プロセッサの筐体には、前記操作部材が突出する操作穴が設けられ、
前記柱状部材の進退方向に対し直角方向における前記操作穴の長さは、前記係合片が前記板状部材と係合可能な程度に前記係合片を前記操作部材が移動可能な程度の長さ以上である請求項４に記載のプロセッサ固定装置。
【請求項７】
前記内視鏡プロセッサは、操作スイッチ等が設けられる前面と、前記前面に接続される側面とを有し、
前記内視鏡プロセッサ固定装置は、前記前面付近の前記底面に設けられる請求項１又は３に記載の内視鏡プロセッサ固定装置。
【請求項８】
複数の請求項１又は３に記載の内視鏡プロセッサ固定装置を備える内視鏡プロセッサ。
【請求項９】
前記内視鏡プロセッサは前記底面から突出する脚部材を備え、
前記内視鏡プロセッサ固定装置は前記脚部材の内部に設けられ、前記柱状部材又は前記係合片が前記脚部材の底面から前記嵌合穴の深さ方向に向けて進退自在に突出する請求項８に記載の内視鏡プロセッサ。
【発明の詳細な説明】
【技術分野】
【０００１】
本発明は、内視鏡プロセッサを戴置台に固定するための固定装置に関する。
【背景技術】
【０００２】
内視鏡装置は、内視鏡スコープと内視鏡プロセッサとを主に備える。内視鏡スコープの挿入部は、例えば人体の体内に挿入されて体内の画像を内視鏡プロセッサに送信し、内視鏡プロセッサは内視鏡スコープから受信した画像を画像処理する。
【０００３】
内視鏡プロセッサは、ディスプレイ等の内視鏡装置を使用するために必要な装置と共に戴置台、例えば車輪付きのラックに置かれる。内視鏡プロセッサに内視鏡スコープを接続するとき、あるいはラックを移動するときに、内視鏡プロセッサが動いたり、ラックから転落したりすることを防止するため、内視鏡プロセッサが置かれたラックの棚板の裏から螺子や突起を内視鏡プロセッサに係合させて、内視鏡プロセッサをラックに固定する構成が知られている。
【特許文献１】特開平９−３０８６０３号公報
【発明の開示】
【発明が解決しようとする課題】
【０００４】
しかし、内視鏡装置の操作性を考慮して、ラックの上段にディスプレイが、中段に内視鏡プロセッサが、下段に周辺機器などが戴置されることがある。このような位置に内視鏡プロセッサが置かれると、棚板の裏から螺子や突起を操作することが困難となり、ラックに対して内視鏡プロセッサを着脱することに手間が必要となる。
【０００５】
本発明はこれらの問題を鑑みてなされたものであり、ラックに対して内視鏡プロセッサを容易に着脱可能な内視鏡プロセッサ固定装置を得ることを目的とする。
【課題を解決するための手段】
【０００６】
本願第１の発明による内視鏡プロセッサ固定装置は、嵌合穴を有する板状部材に内視鏡プロセッサを固定するため内視鏡プロセッサに設けられる内視鏡プロセッサ固定装置であって、内視鏡プロセッサの底面から嵌合穴の深さ方向に向けて進退自在に突出し、嵌合穴と遊嵌可能である遊嵌端を有する柱状部材と、遊嵌端の他方の端部である接続端から伸びて、内視鏡プロセッサの外面から外部に突出する操作部材とを備えることを特徴とする。
【０００７】
柱状部材は円柱体であり、嵌合穴は円筒形状であって、嵌合穴の径は柱状部材の径よりも大きいことが好ましい。
【０００８】
内視鏡プロセッサ固定装置は、接続端に接続される係合片をさらに備え、係合片は、直方体であって、柱状部材の突出方向に対し平行な方向に向けた厚さと、柱状部材の直径よりも長い長手方向長さと、柱状部材の直径と略同じ幅とを有し、嵌合穴は、角筒型であって、柱状部材の突出方向に垂直な断面における長手方向長さが係合片の長手方向長さよりも大きく、柱状部材の突出方向に垂直な断面における幅が係合片の幅よりも大きく、かつ係合片の長手方向長さよりも短いように構成されても良い。
【０００９】
内視鏡プロセッサの筐体には、柱状部材の進退方向における長さが柱状部材の進退長さ以上である操作穴が設けられ、操作部材が操作穴から突出することが好ましい。
【００１０】
操作部材は、柱状部材の軸に対して直角方向に柱状部材から伸びることが好ましい。
【００１１】
内視鏡プロセッサの筐体には操作穴が設けられ、柱状部材の進退方向における操作穴の長さは柱状部材の進退長さ以上であり、操作部材が操作穴から突出することが好ましい。
【００１２】
操作部材は、柱状部材の軸に対して直角方向に柱状部材から伸びることが好ましい。
【００１３】
内視鏡プロセッサの筐体には、操作部材が突出する操作穴が設けられ、柱状部材の進退方向に対し直角方向における操作穴の長さは、係合片が板状部材と係合可能な程度に係合片を操作部材が移動可能な程度の長さ以上であることが好ましい。
【００１４】
内視鏡プロセッサは、操作スイッチ等が設けられる前面と、前面に接続される側面とを有し、内視鏡プロセッサ固定装置は、前面付近の底面に設けられることが好ましい。
【００１５】
本願第２の発明による内視鏡プロセッサは複数の前記内視鏡プロセッサ固定装置を備えることを特徴とする。
【００１６】
内視鏡プロセッサは底面から突出する脚部材を備え、内視鏡プロセッサ固定装置は脚部材の内部に設けられ、柱状部材又は係合片が脚部材の底面から嵌合穴の深さ方向に向けて進退自在に突出することが好ましい。
【発明の効果】
【００１７】
本発明によれば、ラックに対して内視鏡プロセッサを容易に着脱可能な内視鏡プロセッサ固定装置を得る。
【発明を実施するための最良の形態】
【００１８】
以下、本発明における内視鏡プロセッサ固定装置の第１の実施形態について図１から６を参照して説明する。
【００１９】
内視鏡装置は、人体内部に挿入される内視鏡スコープ（非図示）と、挿入部の近位端が接続される内視鏡プロセッサ２３０と、内視鏡スコープが有する送気送水管に空気及び水を送る送気送水装置２５２とを有する。内視鏡プロセッサ２３０は内視鏡スコープから送信される映像信号を処理して、モニタ２５１に表示する。内視鏡プロセッサ２３０、モニタ２５１、及び送気送水装置２５２は、ラック２００が有する棚板２１０の上に設置される。
【００２０】
ラック２００は、板状の部材から成る複数の棚板２１０と、棚板２１０を支持する複数の柱２２１と、最下段の棚板２１０に取り付けられた複数のキャスター２２２とから主に構成される。棚板２１０の上面は、様々な物を載せるための戴置面を成す。最上段の棚板２１０にはモニタ２５１が設置される。最上段と最下段の棚板２１０の間には、上から中間第１段、中間第２段、中間第３段、及び中間第４段の４枚の棚板２１０が取り付けられる。中間第２段の棚板２１０には内視鏡プロセッサ２３０が設置され、中間第４段の棚板２１０には送気送水装置２５２が設置される。
【００２１】
ユーザが操作しやすいように、天地方向における棚板２１０の間隔が決定される。このとき、棚板２１０と送気送水装置２５２、あるいは棚板２１０どうしの間隔が近接して、棚板２１０と送気送水装置２５２、あるいは棚板２１０どうしの間に、ユーザが手を入れにくくなる。
【００２２】
最下段の棚板２１０の四隅にキャスター２２２が４つ取り付けられる。これにより、ユーザはラック２００を所望の場所へ容易に移動することができる。
【００２３】
棚板２１０において、内視鏡プロセッサ２３０の４つの脚２４０が置かれる位置に、４つの円筒形の第１の嵌合穴２１１が設けられる。第１の嵌合穴２１１は棚板２１０の厚さ方向に貫通する。第１の嵌合穴２１１の径は後述する第１の柱状部材１１０の径よりもわずかに大きい。
【００２４】
内視鏡プロセッサ２３０は、筐体２３１と、筐体２３１の底面２３９の四隅に取り付けられた４本の脚２４０と、全ての脚２４０の内部に設けられる第１の内視鏡プロセッサ固定装置（以下、第１の固定装置という）１００とを有する。
【００２５】
筐体２３１の前面２３２には、内視鏡プロセッサ２３０及び内視鏡スコープを操作するためのスイッチ２３３、並びに内視鏡スコープを接続するための取付口２３４等が設けられる。脚２４０は、第１の嵌合穴２１１の径よりも大きい径を有する円柱であり、円筒形状の第１の収容部２４１を内部に有する。脚２４０の中心軸と第１の収容部２４１の中心軸は同軸である。
【００２６】
筐体２３１の側面２３５には、角筒形状の第１の操作穴２３６が設けられる。第１の操作穴２３６は筐体２３１の外面から内部まで貫通する。第１の操作穴２３６の高さは後述する第１の操作部材１２０の進退長さよりも長く、第１の操作穴２３６の幅は第１の操作部材１２０の径よりもわずかに大きい。
【００２７】
第１の固定装置１００は、棚板２１０に向けて突出可能である第１の柱状部材１１０と、第１の柱状部材１１０の一端から伸びる第１の操作部材１２０とを有する。
【００２８】
第１の柱状部材１１０は円柱形状を有し、その径は第１の収容部２４１の径よりも小さく、軸方向長さは脚２４０の長さよりも長い。
【００２９】
第１の操作部材１２０は円柱形状であって、第１の柱状部材１１０の軸に対し垂直方向に向けて第１の柱状部材１１０の一端に取り付けられる。第１の操作部材１２０の径は第１の柱状部材１１０の径よりも小さく、軸方向長さは第１の柱状部材１１０から第１の操作穴２３６を貫通して筐体２３１の外部に突出する程度である。
【００３０】
第１の柱状部材１１０が第１の収容部２４１に嵌挿されるとともに、第１の操作部材１２０が第１の操作穴２３６に嵌挿されて、第１の固定装置１００が内視鏡プロセッサ２３０に取り付けられる。
【００３１】
第１の操作部材１２０は第１の操作穴２３６に嵌挿されて水平方向の移動が規制されるため、第１の柱状部材１１０は第１の収容部２４１の内部で回転しない。その一方で第１の操作部材１２０は第１の操作穴２３６の内側で鉛直方向へ自由に移動可能であるため、第１の柱状部材１１０は第１の収容部２４１の内部で鉛直方向に進退可能である。
【００３２】
第１の操作部材１２０が第１の操作穴２３６の底面２３７と接するとき、第１の柱状部材１１０が脚２４０の底面２４２から突出する。突出する長さは、棚板２１０の厚さ以上である。第１の操作部材１２０が第１の操作穴２３６の天井面２３８と接するとき、第１の柱状部材１１０は脚２４０の底面２４２から突出しない。脚２４０の底面２４２から突出する端部を遊嵌端１１１といい、第１の操作部材１２０が取り付けられる端部を接続端１１２という。
【００３３】
次に、内視鏡プロセッサ２３０を棚板２１０に固定する手順について説明する。
【００３４】
内視鏡プロセッサ２３０を棚板２１０の戴置面に戴置する前、ユーザが内視鏡プロセッサ２３０を空中において保持しているとき、第１の柱状部材１１０の一部は重力により付勢されて第１の収容部２４１から突出する。第１の操作部材１２０が第１の操作穴２３６の底面２３７と係合して、第１の固定装置１００が第１の収容部２４１から外部へ脱落することを防止する。
【００３５】
ユーザが棚板２１０に内視鏡プロセッサ２３０を置くと、棚板２１０が遊嵌端１１１を押圧し、第１の柱状部材１１０が第１の収容部２４１の内部に退行する。これにより、遊嵌端１１１と、脚２４０の底面２４２とが同一の平面上に置かれる。
【００３６】
次に、ユーザは、内視鏡プロセッサ２３０を棚板２１０上で平行移動させる。第１の柱状部材１１０が第１の嵌合穴２１１の位置まで移動すると、第１の柱状部材１１０が重力により第１の嵌合穴２１１の内部に自動的に進行する。そして、第１の柱状部材１１０の外側面が第１の嵌合穴２１１の内側面と係合する。これにより、棚板２１０の戴置面と平行方向における内視鏡プロセッサ２３０の移動が規制される。
【００３７】
次に、内視鏡プロセッサ２３０を棚板２１０から取り外す手順について説明する。
【００３８】
第１の柱状部材１１０が第１の嵌合穴２１１と嵌合しながら棚板２１０に内視鏡プロセッサ２３０が戴置されている状態において、ユーザが第１の操作部材１２０を鉛直上方に押し上げる。第１の操作部材１２０は、第１の柱状部材１１０を第１の収容部２４１の内部に退行する。そして、遊嵌端１１１と、脚２４０の底面２４２とが同一の平面上に置かれる。これにより、棚板２１０の戴置面と平行方向において内視鏡プロセッサ２３０は自由に移動可能となり、内視鏡プロセッサ２３０が棚板２１０から取り外される。
【００３９】
本実施形態によれば、第１の柱状部材１１０と第１の嵌合穴２１１の位置をユーザが合わせるだけで、容易に内視鏡プロセッサ２３０をラック２００に固定することができる。内視鏡プロセッサ２３０は約２０キロ程度の重量を有するため、重力方向に固定しなくても内視鏡プロセッサ２３０の移動を十分に規制することができる。内視鏡プロセッサ２３０が戴置されたラック２００を移動するときに発生する振動や衝撃により、内視鏡プロセッサ２３０がラック２００から落下することを防止できる。また、内視鏡スコープを内視鏡プロセッサ２３０に挿抜するとき、内視鏡プロセッサ２３０が移動してしまうことを防止できる。
【００４０】
さらに、第１の固定装置１００を格納するための部材を特別に設ける必要がない。部品点数をいたずらに増やすことなく内視鏡プロセッサ２３０を棚板２１０に固定することができる。また、複数の第１の固定装置１００を設けることにより、確実に内視鏡プロセッサ２３０を棚板２１０に固定できる。
【００４１】
なお、４つの脚２４０全てに第１の固定装置１００を設けなくてもよく、４未満の数の脚２４０の内部にのみ第１の固定装置１００が設けられても良い。特に、前面２３２に近い位置にある２つの脚２４０に第１の固定装置１００が設けられることが好ましい。ユーザが第１の嵌合穴２１１の位置を容易に確認できるため、第１の柱状部材１１０の位置を第１の嵌合穴２１１と一致させやすくなる。
【００４２】
また、第１の嵌合穴２１１は棚板２１０を貫通していなくても良く、内視鏡プロセッサ２３０が棚板２１０の戴置面と平行方向において移動しないように第１の柱状部材１１０が第１の嵌合穴２１１と十分に嵌合するだけの深さがあれば良い。
【００４３】
第２の実施形態による第２の内視鏡プロセッサ固定装置（以下、第２の固定装置という）５００について図７から１２を参照して説明する。第１の実施形態と同様の構成については、第１の実施形態と同じ番号を付し、説明を省略する。
【００４４】
棚板２１０は、内視鏡プロセッサ２３０の４つの脚２４０が置かれる位置に、４つの角筒形状である第２の嵌合穴６１１が設けられる。第２の嵌合穴６１１の大きさは、後述する係合片５３０が通過可能な程度の大きさである。第２の嵌合穴６１１は棚板２１０の厚さ方向に貫通する。
【００４５】
脚２４０は、第２の嵌合穴６１１の径よりも大きい径を有する円柱であり、第２の収容部２４３を内部に有する。脚２４０の中心軸と第２の収容部２４３の中心軸は同軸である。第２の収容部２４３は、脚２４０の筐体２３１側に円筒形状の空間、そして脚２４０の底面２４２側に直方体形状の空間を有する。直方体形状の空間は、後述する係合片５３０を格納可能な形状である。
【００４６】
内視鏡プロセッサ２３０の筐体２３１の側面２３５には、凸字形に開口する第２の操作穴２６１が設けられる。第２の操作穴２６１は筐体２３１の外面から内部まで貫通する。第２の操作穴２６１のうち上方に向けて突出する穴部の高さは、後述する第２の柱状部材５１０の進退長さと略同じである。第２の操作穴２６１のうち水平方向に向けて突出する穴部の長さ、つまり第２の操作穴２６１の幅は、後述する係合片５３０を棚板２１０と係合させるに必要な程度の長さ、例えば係合片５３０が第２の収容部２４３の軸周りに４５度回転する程度の長さである。
【００４７】
第２の固定装置５００は、棚板２１０に向けて突出可能である第２の柱状部材５１０と、第２の柱状部材５１０の一端１１２から伸びる第２の操作部材５２０と、第２の柱状部材５１０の遊嵌端５１２の近辺に取り付けられる係合片５３０とを有する。
【００４８】
第２の柱状部材５１０は円柱形状を有する。第２の柱状部材５１０の径及び軸方向長さは、内視鏡プロセッサ２３０を棚板２１０に固定可能な強度を第２の柱状部材５１０が有する程度の長さである。また、径は第２の収容部２４３の径よりも小さく、軸方向長さは脚２４０の長さよりも長い。
【００４９】
第２の操作部材５２０は円柱形状であって、第２の柱状部材５１０の軸に対し垂直方向に向けて第２の柱状部材５１０の一端に取り付けられる。第２の操作部材５２０の径は第２の柱状部材５１０の径よりも小さく、軸方向長さは第２の柱状部材５１０から第２の操作穴２６１を貫通して筐体２３１の外部に突出する程度である。
【００５０】
係合片５３０は直方体形状であって、第２の柱状部材５１０の径と略同じ幅と、第２の柱状部材５１０の径よりも短い厚さと、幅よりも長い長手方向長さとを有する。幅及び長手方向の中央に第２の柱状部材５１０の中心軸が交わるように、第２の柱状部材５１０が係合片５３０に取り付けられる。
【００５１】
第２の固定装置５００は、内視鏡プロセッサ２３０の筐体２３１及び脚２４０の内部に設けられる。筐体２３１に開口する第２の操作穴２６１には第２の操作部材５２０が嵌挿され、脚２４０に設けられる第２の収容部２４３には第２の柱状部材５１０が嵌挿される。
【００５２】
第２の操作部材５２０は、第２の操作穴２６１のうち上方に向けて突出する穴部の内側で鉛直方向へ自由に移動可能、すなわち上下方向に移動可能である。第２の操作部材５２０が上下すると、第２の固定装置５００が第２の収容部２４３の内部で鉛直方向に進退する。第２の操作部材５２０が第２の操作穴２６１の天井面２６２と接するとき、第２の柱状部材５１０及び係合片５３０は第２の収容部２４３に格納されて、脚２４０の底面２４２から突出しない。第２の操作部材５２０が第２の操作穴２６１の底面２６３と接するとき、第２の柱状部材５１０が脚２４０の底面２４２から突出する。突出する長さは、棚板２１０の厚さよりわずかに長い。すなわち、第２の柱状部材５１０が脚２４０の底面２４２から突出するとき、棚板２１０の裏面２１２から係合片５３０が完全に露出する。
【００５３】
第２の操作部材５２０は、第２の操作穴２６１のうち水平方向に向けて延びる穴部、つまり第２の操作穴２６１の底面２６３側の穴部において水平方向に移動可能である。第２の操作部材５２０が第２の操作穴２６１の底面２６３側の穴部内で水平方向に移動すると、第２の柱状部材５１０が第２の収容部２４３の内部で回転する。第２の柱状部材５１０が回転すると、その遊嵌端５１２に取り付けられた係合片５３０もまた回転する。
【００５４】
次に、内視鏡プロセッサ２３０を棚板２１０に固定する手順について説明する。
【００５５】
内視鏡プロセッサ２３０を棚板２１０に戴置する前、ユーザが内視鏡プロセッサ２３０を空中において保持しているとき、第２の柱状部材５１０及び係合片５３０は重力により付勢されて第２の収容部２４３から突出する。第２の操作部材５２０が第２の操作穴２６１の底面２６３と係合して、第２の柱状部材５１０が第２の収容部２４３から外部へ脱落することを防止する。
【００５６】
ユーザが棚板２１０に内視鏡プロセッサ２３０を置くと、棚板２１０が係合片５３０を押圧し、第２の柱状部材５１０及び係合片５３０が第２の収容部２４３の内部に退行する。これにより、係合片５３０の先端と、脚２４０の底面２４２とが同一の平面上に置かれる。
【００５７】
次に、ユーザは、内視鏡プロセッサ２３０を棚板２１０上で平行移動させる。第２の柱状部材５１０及び係合片５３０が第２の嵌合穴６１１の位置まで移動すると、係合片５３０が重力により第２の嵌合穴６１１の内部に自動的に進行する。そして、棚板２１０の裏面２１２から係合片５３０が完全に露出する。
【００５８】
第２の操作穴２６１のうち水平方向に向けて突出する穴部、つまり第２の操作穴２６１の底面２６３側の穴部において、第２の操作部材５２０を水平方向にユーザが移動させる。すると、第２の柱状部材５１０は、第２の収容部２４３の内部において、第２の収容部２４３及び第２の柱状部材５１０の軸周りに回転すると共に、遊嵌端５１２に取り付けられた係合片５３０もまた回転する。回転する角度は４５度である。
【００５９】
これにより、係合片５３０の頂面が棚板２１０の裏面２１２と係合する。内視鏡プロセッサ２３０が、脚２４０の底面２４２と係合片５３０の頂面との間に棚板２１０を挟持するため、鉛直方向に移動することがない。
【００６０】
次に、内視鏡プロセッサ２３０を棚板２１０から取り外す手順について説明する。
【００６１】
第２の柱状部材５１０が第２の嵌合穴６１１と嵌合しながら棚板２１０に内視鏡プロセッサ２３０が戴置されている状態において、第２の操作部材５２０を第２の操作穴２６１内で水平方向に移動させ、水平方向の中央に第２の操作部材５２０を置く。つまり、第２の操作穴２６１のうち上方に向けて突出する穴部の底面に第２の操作部材５２０が置かれる。これは、第２の収容部２４３の内部において第２の柱状部材５１０を軸周りに回転させると共に、遊嵌端５１２に取り付けられた係合片５３０をもまた回転させる。回転する角度は４５度である。これにより、係合片５３０が第２の収容部２４３の直下に移動し、係合片５３０の頂面と棚板２１０の裏面との係合が解かれる。
【００６２】
次に、ユーザが第２の操作部材５２０を鉛直上方に押し上げる。第２の操作部材５２０は、第２の柱状部材５１０を第２の収容部２４３の内部に退行する。そして、係合片５３０の先端と、脚２４０の底面２４２とが同一の平面上に置かれる。これにより、棚板２１０の戴置面と平行方向において内視鏡プロセッサ２３０は自由に移動可能となり、内視鏡プロセッサ２３０が棚板２１０から取り外される。
【００６３】
本実施形態によれば、内視鏡プロセッサ２３０は、脚２４０の底面２４２と係合片５３０の頂面との間に棚板２１０を挟持するため、鉛直方向に移動することがない。さらに、第２の固定装置５００を格納するための部材を特別に設ける必要がない。部品点数をいたずらに増やすことなく内視鏡プロセッサ２３０を棚板２１０に固定することができる。また、複数の第２の固定装置５００を設けることにより、確実に内視鏡プロセッサ２３０を棚板２１０に固定できる。
【００６４】
なお、第２の嵌合穴６１１が延びる方向を互いに直交する方向としても良い。棚板２１０の戴置面と平行方向における内視鏡プロセッサ２３０の移動を規制することができる。
【００６５】
第２の柱状部材５１０及び係合片５３０が回転する角度は４５度でなくても良く、内視鏡プロセッサ２３０が棚板２１０に保持される程度に係合片５３０が棚板２１０の裏面２１２と係合する角度であれば良い。
【００６６】
また、４つの脚２４０全てに第２の固定装置５００を設けなくてもよく、４未満の数の脚２４０の内部にのみ第２の固定装置５００が設けられても良い。特に、前面２３２に近い位置にある２つの脚２４０に固定部が設けられることが好ましい。ユーザが第２の嵌合穴６１１の位置を容易に確認できるため、第２の柱状部材５１０の位置を第２の嵌合穴６１１に一致させやすくなる。
【００６７】
また、脚２４０の内部に固定装置を設けなくてもよく、脚２４０と固定装置が別に設けられてもよい。すなわち、固定装置が内視鏡プロセッサ２３０の底面２３９に設けられる。
【００６８】
第１および第２の柱状部材１１０、５１０は矩形、あるいは楕円の断面を有してもよい。
【００６９】
内視鏡プロセッサ２３０に取り付けられる固定装置について説明したが、モニタ等の他の機器に固定装置が用いられても良い。
【図面の簡単な説明】
【００７０】
【図１】第１の実施形態による固定装置を有する内視鏡スコープとラックとを示した図である。
【図２】嵌合穴と係合する第１の固定装置の正面図である。
【図３】図２のＩＩＩ−ＩＩＩ線による嵌合穴と係合する第１の固定装置の断面図である。
【図４】図２のＩＶ−ＩＶ線による嵌合穴と係合する第１の固定装置の断面図である。
【図５】嵌合穴と柱状部材が嵌合するときの第１の固定装置の断面斜視図である。
【図６】嵌合穴と柱状部材が嵌合しないときの第１の固定装置の断面斜視図である。
【図７】第２の嵌合穴と係合する第２の固定装置の正面図である。
【図８】図７のＶＩＩＩ−ＶＩＩＩ線による第２の固定装置の断面図である。
【図９】図７のＩＸ−ＩＸ線による第２の固定装置の断面図である。
【図１０】係合片が棚板を貫通したときの第２の固定装置の断面斜視図である。
【図１１】係合片が収納部に格納されているときの第２の固定装置の断面斜視図である。
【図１２】係合片が棚板の裏面と係合したときの第２の固定装置の断面斜視図である。
【符号の説明】
【００７１】
１００  第１の固定装置
１１０  第１の柱状部材
１２０  第１の操作部材
１３０  第１の格納部
２１０  棚板
２１１  第１の嵌合穴
２３０  内視鏡プロセッサ
２４０  脚
５００  第２の固定装置
５１０  第２の柱状部材
５２０  第２の操作部材
５３０  係合片
６１１  第２の嵌合穴
【図１】
2010094281.tif 000003
【図２】
2010094281.tif 000004
【図３】
2010094281.tif 000005
【図４】
2010094281.tif 000006
【図５】
2010094281.tif 000007
【図６】
2010094281.tif 000008
【図７】
2010094281.tif 000009
【図８】
2010094281.tif 000010
【図９】
2010094281.tif 000011
【図１０】
2010094281.tif 000012
【図１１】
2010094281.tif 000013
【図１２】
2010094281.tif 000014